(57)【要約】【課題】制御盤を大きくすることなく、制御盤を構成する箱体に照明器具を設けることができ、しかもハンドランプのように機械室内や乗りかご上に保管したり、点検作業時に移動させることによる不具合もなく、十分な明るさが得られて容易にかつ安全に点検作業が行なえるようにする。【解決手段】エレベータを制御する制御盤１の箱体７内には、電源ブレーカー２、制御基板３、トランス４、端子台６などの制御用品が収納されている。この箱体７の内面に、制御用品を取り囲むように照明器具８を設ける。この照明器具８は、それぞれ冷陰極管を光源とするもので、管径が１ｍｍ〜６ｍｍと細いという冷陰極管の特性を利用して照明器具８を小型に構成し、制御盤１を構成する箱体７の必要な個所に、制御盤１を大きくすることなく設け、制御盤１内を隅々まで照らし出す。【選択図】  図１
2004203615.tif 000002
【特許請求の範囲】
【請求項１】
箱体と、この箱体内に収納され、エレベータを制御する制御用品と、この箱体に設けられ、冷陰極管を光源として前記箱体内を照らす照明器具とを備えてなるエレベータの制御盤。
【請求項２】
前記箱体内に、一端部が前記光源から集光する集光部を構成し、他端部が発光部を構成し、この発光部側を自由端として引き回せる光ケーブルを設けたことを特徴とする請求項１に記載のエレベータの制御盤。
【請求項３】
前記照明器具をユニットに構成して前記箱体に固定用マグネットを介して着脱自在に固定したことを特徴とする請求項１に記載のエレベータの制御盤。
【請求項４】
前記箱体内に、前記光源の光を拡散する手段を設けたことを特徴とする請求項１に記載のエレベータの制御盤。
【請求項５】
前記照明器具を点灯する安定器の入力電圧を前記制御用品に供給する電圧と等しくしたことを特徴とする請求項１ないし４のいずれかに記載のエレベータの制御盤。
【請求項６】
箱体と、この箱体内に収納され、エレベータを制御する制御用品と、この箱体に設けられ、ＬＥＤまたは有機ＥＬを光源として前記箱体内を照らす照明器具とを備えてなるエレベータの制御盤。
【発明の詳細な説明】
【０００１】
【発明の属する技術分野】
本発明は、エレベータの制御盤に係り、特に制御盤内を点検する際に使用される照明を改良したエレベータの制御盤に関する。
【０００２】
【従来の技術】
エレベータは、昇降路上部の機械室に設けられた巻上機により吊りロープを介して昇降され、乗りかご内の行先階の呼び登録ボタンや各階の乗り場の呼び登録ボタンを押して呼びを登録することで、乗りかごにより指定する階に移動できるようになっている。巻上機が設置された機械室には制御盤が設けられ、この制御盤と乗りかごがケーブルを介して接続され、乗客の呼び登録に応じて乗りかごの昇降が制御されるようになっている。
【０００３】
このようなエレベータにおいて、保守点検作業を行なう場合には、機械室内に設置された制御盤も対象となるが、この場合、機械室の天井や壁に設けられた照明下で点検作業が行なわれる。
【０００４】
また近年、エレベータは上述した機械室をなくし、昇降路内に巻上機を設置するとともに、制御盤をエレベータの三方枠内に設置したり、昇降路内の壁あるいはピットに設置したりすることが行なわれる。
【０００５】
三方枠設置形の制御盤においては、制御盤が設置されている三方枠のあるホール前の照明を利用し、また昇降路設置形の制御盤においては、昇降路内の制御盤設置個所の近傍に照明設備を設けておいて点検時に点灯するようにしている。
【０００６】
いずれの形式のエレベータにおいても、制御盤内の点検作業を行なうに際して、制御盤内の手狭な部分や用品の影になり明かりが届かないような、奥まった個所に対しては、ハンドランプを使用して部分的に照らし出して点検作業を行なっている。このハンドランプは、機械室や乗りかご上などに常設されていて、図８に示すように、電球２５や、この電球２５を保護するガード２６、手で持つためのグリップ２７、吊下げ用フック２８、電源ケーブル２９などで構成されており、保守員が制御盤に設けられているコンセントに電源ケーブル２９を接続して点灯させ使用している。
【０００７】
このハンドランプ３０の使用にあたって、制御盤内の手狭な部分や制御用品の影になり明かりが届かない部分を照らし出すには、ハンドランプ３０を手元に持ってくるか、吊下げ用フック２８を制御盤の引っ掛け場所に引っ掛けて吊下げるようにしている。
【０００８】
【発明が解決しようとする課題】
しかしながら、ハンドランプ３０を吊下げている場合には、光源が固定されるため、手狭な部分では保守員や制御用品の影により明かりが届かない部分ができ、点検個所を変更する都度、ハンドランプ３０の位置を移動させなければならなかった。また制御盤内は、電源スイッチや制御基板などの制御用品で配線が見えにくい状態にあり、ハンドランプ３０が入らないような小さな隙間には、ハンドランプ３０を移動させることができないので、点検する個所が見えづらいこともある。さらにハンドランプ３０の移動に関しても、移動距離が電源ケーブル２９の長さで決まってしまい、自由度が悪く、逆に電源ケーブル２９を長くしすぎると引き回しづらくなって電源ケーブル２９が制御用品に絡んでしまい損傷させる原因にもなる。
【０００９】
ハンドランプ３０を引っ掛ける部分がないところでは、作業員がハンドランプ３０を持ちながら作業することになるが、片手がふさがり作業がやりにくく、そのためにハンドランプ３０を落としたりして保守員がケガをしたり、制御用品を損傷させてしまうおそれがある。
【００１０】
一方、ハンドランプ３０は、使用しないときは、電源ケーブル２９をコンセントから抜き、電源ケーブル２９を巻いて機械室に保管しているが、機械室のないエレベータでは、乗りかご上にハンドランプ３０を置いており、使用時に乗りかご上から取り出す必要があって作業性が悪かった。
【００１１】
近年では、制御盤にハンドランプを設置できるスペースを設けているものもあるが、制御盤が大きくなってしまうという欠点がある。
【００１２】
本発明は、上述の問題点を解決するためになされたもので、制御盤を大きくすることなく、制御盤を構成する箱体に照明器具を設けることができ、しかもハンドランプのように機械室内や乗りかご上に保管したり、点検作業時に移動させることによる不具合もなく、十分な明るさが得られて容易にかつ安全に点検作業が行なえるエレベータの制御盤を提供することを目的とする。
【００１３】
【課題を解決するための手段】
本発明は、上記の課題を解決するために、エレベータを制御する制御用品を収納した箱体に、冷陰極管を光源として箱体内を照らす照明器具を設けたところに特徴を有する。冷陰極管は透明な例えばガラスの管状外囲器内壁に蛍光体層を塗布し、管内にキセノンなどのガスを封入したもので、管端の内部または外部に冷陰極を設けている。冷陰極管に電圧を印加してガス放電を起こさせると、放電により紫外線が発生して蛍光体層を励起発光する。
【００１４】
この冷陰極管は、管径が１ｍｍ〜６ｍｍと細く、制御盤を構成する箱体の必要な個所に、制御盤を大きくすることなく設けることができ、制御盤内を隅々まで照らし出すことができる。
【００１５】
この場合、箱体内に、一端部が光源である冷陰極管から集光する集光部を構成し、他端部が発光部を構成し、この発光部側を自由端とした光ケーブルを設けて移動自在な照明手段として構成することができる。
【００１６】
また照明器具をユニットに構成して箱体に固定用マグネットを介して固定して着脱自在に構成することもできる。
【００１７】
さらに箱体内に、光源である冷陰極管の光を拡散する手段を設けることができる。
【００１８】
また照明器具を点灯する安定器の入力電圧を制御用品に供給する電圧と等しくして冷陰極管を点灯するための電源回路の部品を省略することができる。
【００１９】
【発明の実施の形態】
以下、本発明の実施の形態を説明する。図１は本発明のエレベータの制御盤における第１実施の形態を示す正面図である。図２（ａ）および（ｂ）は第１実施の形態で使用する照明器具を示す正面図および平面断面図である。図１において、エレベータの制御盤１は、電源ブレーカー２、制御基板３、トランス４、コンセント５、端子台６などを箱体７内に収納して構成されている。箱体７は、前面に開閉可能な制御盤カバー７ａが設けられており、保守点検時には、この制御盤カバー７ａを開いて点検作業が行なわれる。
【００２０】
この箱体７の天井部、左右の側壁部および底部の内面には、それぞれ１個または複数個の照明器具８が取付けられている。この照明器具８は、図２（ａ）および（ｂ）に示すように、支え９ａに支持された冷陰極管９を光源とし、この冷陰極管９を点灯する変電圧器１０および安定器１１を含む電源回路とともにユニットケース１２内に収納され、電線１３を介して所定の接続を施して構成され、ユニットケース１２の前面に設けられた光透過性の合成樹脂からなる光透過板１２ａを通して冷陰極管９から照明光が射出されるようになっている。この冷陰極管９は、ガラス管の内側に電極があるタイプあるいはガラス管の外側に電極があるタイプのいずれでも採用できる。
【００２１】
照明器具８は、それぞれ電源コード１４を介して制御盤１に設けられたコンセント５に接続され、制御盤１内に設置されている電源スイッチ１５を入れると、ＡＣ１００Ｖが供給されるようになっている。このＡＣ１００Ｖは、変電圧器１１によりＤＣ２４Ｖに変換され、インバータ機能を有する安定器１２により冷陰極管９に供給されて冷陰極管９を点灯する。
【００２２】
このようにして本実施の形態では、直径１ｍｍ〜６ｍｍ程度と管径が細く、寿命も長い特性を有する冷陰極管９を光源として照明器具８を構成することにより小型に構成でき、制御盤１の箱体７内の必要な個所に、制御盤１を大きくすることなく、また制御盤１の制御用品について大幅なレイアウト変更をすることなく設けることができる。そして照明器具８を、例えば箱体７内に収納された制御用品の外周囲四辺を囲むように設置することにより、個々の制御部品の周囲を照らし出すことができる。その照明により保守員は、手元や制御部品の周囲に十分な明るさが得られて容易にかつ安全に点検作業を行なうことができる。しかもハンドランプのように機械室内や乗りかご上に保管したり、点検作業時に移動させることによる不具合を生じることもない。また冷陰極管９を使用しているので、寿命が長く、点検作業中に球切れを起こすことがなくなり、制御盤１内での点検作業を安全に行なうことができる。
【００２３】
図３は本発明のエレベータの制御盤における第２実施の形態を示す正面図である。図３において、本実施の形態では、第１実施の形態の構成に加えて、箱体７内に、一端部が光源である冷陰極管８から集光する集光部１６ａを構成し、他端部が発光部１６ｂを構成し、この発光部１６ｂ側を自由端として引き回せる光ケーブル１６を設けたところに特徴を有する。
【００２４】
このように箱体７内に発光部１６ｂ側を移動自在に構成した光ケーブル１６を設けて、制御用品の周囲の、さらに照度を高める必要がある個所や点検作業に対して、必要に応じて可撓性のある光ケーブル１６を引き回し、発光部１６ｂを移動させて照らし出すことにより、より一層明るく照らし出すことができる。
【００２５】
図４は本発明のエレベータの制御盤における第３実施の形態を示す正面図である。図５は第３実施の形態で使用する照明器具を示す平面断面図である。図６は図５に示す照明器具の取付状態の一例を示す平面図である。図４ないし図６において、本実施の形態では、第１実施の形態の構成における照明器具８に代えて、照明器具１８を移動自在なユニットとして構成し、箱体７に対して固定用マグネット１７を介して着脱自在に固定するようにしたところに特徴を有する。
【００２６】
照明器具１８は、第１実施の形態と同様に光透過板１２ａを有するユニットケース１２内に、変電圧器１０および安定器１１を含む電源回路とともに冷陰極管９を収納して構成されており、光透過板１２ａを通して冷陰極管９の光が照射されるようになっている。このユニットケース１２の反光透過板１２ａ側である裏面にシート状の固定用マグネット１７が設けられており、必要に応じて箱体７内の狭い隙間に移動させ、固定用マグネット１７を利用して箱体７に固定するようになっている。
【００２７】
冷陰極管９を光源とした照明器具１８は小型に構成できるので、例えば図６に示すように制御基板３と箱体７のフランジ部７ａとの隙間に設置することができる。
【００２８】
このように照明器具１８を着脱自在に構成して制御盤１の箱体７の手狭な部分や制御用品の影になり明かりが届かない部分に直接設置するようにすれば、点検個所に明るさが行き届き、点検作業を実施するに当り、十分な明るさが得られる。したがってハンドランプを使用する場合と異なり、ハンドランプを引っ掛けたり、手元に持ったりして使用する場合のハンドランプの損傷や制御用品の損傷などの不具合をなくすことができる。
【００２９】
図７（ａ）および（ｂ）は本発明のエレベータの制御盤における第４実施の形態で使用する照明器具を示す正面図および平面断面図である。図７において、本実施の形態では、照明器具１９の光源である冷陰極管９の光を導光板２０により拡散するように構成したところに特徴を有する。ユニットケース２１内には透明な材料からなる導光板２２、この導光板２０の平板方向の端面に配設された冷陰極管９、この冷陰極管９の周囲に配設された光反射性のリフレクター２２、導光板２０の背面側に配設された光反射板２３、導光板２０の表面側に配設された光拡散板２４が設けられ、冷陰極管９の光が導光板２０に進入し、光反射板２３で反射されて光拡散板２４から射出するようになっている。
【００３０】
このようにすれば、冷陰極管９を光源とする照明器具１９が面照明となり、制御盤内の手狭な部分や従来のように制御用品の影になり明かりが届かない部分も照らし出すことができるので、点検作業を容易にかつ安全に行なうことができる。
【００３１】
なお、光源として冷陰極管を用いたが、ＬＥＤ（半導体発光素子）や有機ＥＬ（エレクトロルミネセンス）を用いても良く、発光色は白色に限らず他の色を用いて良い。また、本発明の目的を達成するものであれば光源としての冷陰極管、ＬＥＤ、有機ＥＬ等を適当にまぜて配置しても良いことはもちろんである。
【００３２】
なお、上記各実施の形態においては、照明器具を点灯する安定器１１の入力電圧を、一般電源から変電圧器１０で変圧して供給していたが、制御盤の制御用品に供給する制御電源から供給するようにして制御用品の入力電圧と等しくすることにより、変電圧器１０を省略することができる。
【００３３】
【発明の効果】
以上説明したように、本発明のエレベータの制御盤によれば、エレベータを制御する制御用品を収納した箱体に、冷陰極管、ＬＥＤ、有機ＥＬなどを光源として箱体内を照らす照明器具を設けたことにより、制御盤を大きくすることなく、制御盤を構成する箱体に照明器具を設けることができ、しかもハンドランプのように機械室内や乗りかご上に保管したり、点検作業時に移動させることによる不具合もなく、十分な明るさが得られて容易にかつ安全に点検作業を行なうことができる。
【図面の簡単な説明】
【図１】本発明のエレベータの制御盤における第１実施の形態を示す正面図である。
【図２】（ａ）および（ｂ）は第１実施の形態で使用する照明器具を示す正面図および平面断面図である。
【図３】本発明のエレベータの制御盤における第２実施の形態を示す正面図である。
【図４】本発明のエレベータの制御盤における第３実施の形態を示す正面図である。
【図５】第３実施の形態で使用する照明器具を示す平面断面図である。
【図６】図５に示す照明器具の取付状態の一例を示す平面図である。
【図７】（ａ）および（ｂ）は本発明のエレベータの制御盤における第４実施の形態で使用する照明器具を示す正面図および平面断面図である。
【図８】ハンドランプを示す正面図である。
【符号の説明】
１…制御盤
２…電源ブレーカー
３…制御基板
４…トランス
５…コンセント
６…端子台
７…箱体
７ａ…フランジ部
８，１８，１９…照明器具
９…冷陰極管
９ａ…支え
１０…変電圧器
１１…安定器
１２，２１…ユニットケース
１２ａ…光透過板
１３…電線
１４…電源コード
１５…電源スイッチ
１６…光ケーブル
１６ａ…集光部
１６ｂ…発光部
１７…固定用マグネット
２０…導光板
２２…リフレクター
２３…光反射板
２４…光拡散板
２５…電球
２６…ガード
２７…グリップ
２８…吊下げ用フック
２９…電源ケーブル
３０…ハンドランプ
【図１】
2004203615.tif 000003
【図２】
2004203615.tif 000004
【図３】
2004203615.tif 000005
【図４】
2004203615.tif 000006
【図５】
2004203615.tif 000007
【図６】
2004203615.tif 000008
【図７】
2004203615.tif 000009
【図８】
2004203615.tif 000010